(57)【要約】【課題】端桁における外壁の強度を向上させたパレットを提供する。【解決手段】二方差しパレットの端桁１４は、パレットの側壁として機能する外壁３１と、フォーク挿入孔の周壁として機能する内壁３２と、を有している。端桁１４における外壁３１と内壁３２との間には、外壁３１と内壁３２とに接続されている桁間リブ３４を備える。桁間リブ３４を挟んだ両側には、外壁３１の延伸方向及び桁間リブ３４の延伸方向の双方と交差する方向に延びており、桁間リブ３４における一端と他端との間の規定点Ｏと外壁３１との双方に接続されている一対の傾斜リブ３５，３６が配置されている。さらに、外壁３１と傾斜リブ３５，３６との交点に接続されている端部から内壁３２に向けて延伸している第１補強リブ３７が設けられている。そして、桁間リブ３４と、傾斜リブ３５，３６と、第１補強リブ３７とが、一対のデッキボードのそれぞれに連結されている。【選択図】図４
2018052598.tif 000002
【特許請求の範囲】
【請求項１】
矩形状をなす一対のデッキボードの間に、二つのフォーク挿入孔の間に配置されている中間桁と、前記フォーク挿入孔を挟んで前記中間桁の反対側に配置されている一対の端桁と、が設けられているパレットであって、
前記各端桁は、前記パレットの側壁として機能する外壁と、前記フォーク挿入孔の周壁として機能する内壁と、をそれぞれ有し、
前記端桁における前記外壁と前記内壁との間には、
前記外壁と前記内壁とに接続されている桁間リブと、
前記桁間リブを挟んだ両側に配置されているものであり、前記外壁の延伸方向及び前記桁間リブの延伸方向の双方と交差する方向に延びており、前記桁間リブにおける一端と他端との間の規定点と前記外壁との双方に接続されている一対の傾斜リブと、
前記外壁と前記傾斜リブとの交点に接続されている端部から前記内壁に向けて延伸している補強リブと、が設けられており、
前記桁間リブと、前記傾斜リブと、前記補強リブとが、前記一対のデッキボードのそれぞれに連結されているパレット。
【請求項２】
前記補強リブが前記外壁と接続されている前記端部を前記補強リブの一端とする場合、
前記補強リブの他端と前記外壁との最短距離が、前記桁間リブの前記規定点と前記外壁との最短距離よりも短い
請求項１に記載のパレット。
【請求項３】
前記桁間リブと、当該桁間リブの前記規定点に接続されている一対の前記傾斜リブと、でリブ群が構成されており、
前記端桁は、前記外壁の延伸方向に沿って配置されている複数の前記リブ群を有しており、
前記外壁の延伸方向で互いに隣り合う前記各リブ群が、前記外壁と前記傾斜リブとの交点を共有するように隣接している
請求項１又は２に記載のパレット。
【請求項４】
前記補強リブを第１補強リブとした場合、
前記端桁における前記外壁と前記内壁との間には、前記内壁に接続されている端部から前記外壁に向けて延伸しており、前記一対のデッキボードのそれぞれに連結されている第２補強リブが設けられている
請求項１〜３のいずれか一項に記載のパレット。
【請求項５】
前記第１補強リブと前記第２補強リブとを連結する連結部をさらに備える
請求項４に記載のパレット。
【発明の詳細な説明】
【技術分野】
【０００１】
本発明は、物品の運搬等に使用される二方差しのパレットに関する。
【背景技術】
【０００２】
物品の運搬等に使用される二方差しのパレットとして、矩形状をなす一対のデッキボードと、両デッキボードの間に配置されている三つの桁と、を備えたものが知られている。このようなパレットでは、互いに隣り合う桁同士の間にフォーク挿入孔がそれぞれ形成されている。そして、パレットの両端桁は、フォーク挿入孔を区画する内壁と、パレットの側壁として機能する外壁と、をそれぞれ有している。
【０００３】
例えば特許文献１に開示されているパレットの端桁には、その外壁に連結されていて且つ内壁に向かって延伸している複数の補強リブが設けられている。また、端桁における外壁と内壁との間には、外壁及び内壁と平行に延びている中間リブが設けられており、この中間リブに各補強リブが連結されている。
【先行技術文献】
【特許文献】
【０００４】
【特許文献１】特開平８‐１３３２８５号公報
【発明の概要】
【発明が解決しようとする課題】
【０００５】
ところで、フォークリフトのフォークを用いてパレットを移動させる際に、該フォークをフォーク挿入孔に挿入するのではなく、端桁の外壁にフォークが押し当てられることがある。そのため、このようにパレットが使われることを想定し、端桁の外壁の強度を強くすることが希求されている。
【課題を解決するための手段】
【０００６】
以下、上記課題を解決するための手段及びその作用効果について記載する。
上記課題を解決するためのパレットは、矩形状をなす一対のデッキボードの間に、二つのフォーク挿入孔の間に配置されている中間桁と、前記フォーク挿入孔を挟んで前記中間桁の反対側に配置されている一対の端桁と、が設けられている。当該パレットは、前記各端桁が、前記パレットの側壁として機能する外壁と、前記フォーク挿入孔の周壁として機能する内壁と、をそれぞれ有している。そして、前記端桁における前記外壁と前記内壁との間には、前記外壁と前記内壁とに接続されている桁間リブと、前記桁間リブを挟んだ両側に配置されているものであり、前記外壁の延伸方向及び前記桁間リブの延伸方向の双方と交差する方向に延びており、前記桁間リブにおける一端と他端との間の規定点と前記外壁との双方に接続されている一対の傾斜リブと、前記外壁と前記傾斜リブとの交点に接続されている端部から前記内壁に向けて延伸している補強リブと、が設けられている。さらに、前記桁間リブと、前記傾斜リブと、前記補強リブとが、前記一対のデッキボードのそれぞれに連結されている。
【０００７】
上記構成では、端桁の外壁と傾斜リブとの交点に補強リブの端部が接続されている。これによって、端桁の外壁にフォークリフトのフォークなどが押し当てられたとしても、その際に外壁に入力される荷重が傾斜リブと補強リブとに分散される。さらに上記構成では、外壁と内壁との双方に接続されている桁間リブに対し、外壁の延伸方向及び桁間リブの延伸方向の双方と交差する方向に延びている一対の傾斜リブが接続されている。そのため、傾斜リブに荷重が入力された場合、当該荷重が桁間リブに伝わるため、端桁の外壁が外部から受けた荷重を分散することができる。すなわち、パレットの側壁のうち、フォーク挿入孔が開口していない側壁、すなわち端桁の外壁の剛性を向上させることができる。
【０００８】
上記パレットの一例では、前記補強リブが前記外壁と接続されている前記端部を前記補強リブの一端とする場合、前記補強リブの他端と前記外壁との最短距離が、前記桁間リブの前記規定点と前記外壁との最短距離よりも短い。
【０００９】
上記構成によれば、補強リブが過剰に大きくなることが抑制されるため、パレットの重量の増大を抑制しつつ端桁の外壁の剛性を向上させることができる。
上記パレットの一例では、前記桁間リブと、当該桁間リブの前記規定点に接続されている一対の前記傾斜リブと、でリブ群が構成されており、前記端桁は、前記外壁の延伸方向に沿って配置されている複数の前記リブ群を有しており、前記外壁の延伸方向で互いに隣り合う前記各リブ群が、前記外壁と前記傾斜リブとの交点を共有するように隣接している。
【００１０】
上記構成では、隣り合う各リブ群のうち、第１のリブ群における一つの傾斜リブと外壁との交点に、第２のリブ群における一つの傾斜リブが連結されている。そのため、当該交点に外部から入力された荷重は、補強リブと、第１リブ群の傾斜リブと、第２リブ群の傾斜リブとに分散して入力されることとなる。そのため、端桁の外壁の剛性をより向上させることができる。
【００１１】
上記パレットの一例では、前記補強リブを第１補強リブとした場合、前記端桁における前記外壁と前記内壁との間には、前記内壁に接続されている端部から前記外壁に向けて延伸しており、前記一対のデッキボードのそれぞれに連結されている第２補強リブが設けられている。
【００１２】
上記構成によれば、端桁内に、その内壁に連結する第２補強リブを設けることによって、内壁の剛性を向上させることができる。
さらに上記パレットにおいて、前記第１補強リブと前記第２補強リブとを連結する連結部を設けてもよい。
【００１３】
上記構成では、第１補強リブと第２補強リブとが連結部を介して連結されているため、端桁の外壁が外部から荷重を受けた際に、当該荷重が内壁まで伝わりやすくなる。その結果、外壁の剛性をより向上させることができる。また、フォーク挿入孔に挿入された部材が端桁の内壁に当接し、当該当接に起因する荷重を内壁が受けた際に、当該荷重が外壁まで伝わりやすくなる。その結果、内壁の剛性をより向上させることができる。
【発明の効果】
【００１４】
本書に開示するパレットによれば、端桁の外壁の強度を向上させることができる。
【図面の簡単な説明】
【００１５】
【図１】パレットの一実施形態を示す斜視図。
【図２】同実施形態にかかるパレットの下面構成部を示す斜視図。
【図３】同実施形態にかかるパレットの上面構成部を示す斜視図。
【図４】同実施形態にかかるパレットの下面構成部について、端桁の周辺を示す平面図。
【図５】同実施形態にかかるパレットの下面構成部について、端桁の周辺を示す斜視図。
【図６】パレットの変更例の一部分を示す斜視図。
【発明を実施するための形態】
【００１６】
以下、パレットの一実施形態としてのパレット１０について、図１〜図５を参照して説明する。
図１に示すようにパレット１０は、一対のデッキボードである下面デッキボード１１と、上面デッキボード１３とを備えている。下面デッキボード１１及び上面デッキボード１３は、それぞれ矩形状をなしている。下面デッキボード１１の外形と上面デッキボード１３の外形とは、互いに等しい。下面デッキボード１１は、パレット１０の接地面を有している。上面デッキボード１３は、物品を載置する積載面を有している。そして、パレット１０では、上記接地面と上記積載面とが平行となっている。
【００１７】
なお、図１には、下面デッキボード１１における一辺の延伸方向をＸ方向として示し、当該辺と直交する辺の延伸方向をＹ方向として示している。また、下面デッキボード１１と上面デッキボード１３とが並ぶ方向であって且つ下面デッキボード１１及び上面デッキボード１３に対する垂直方向のことをＺ方向として示している。すなわち、Ｚ方向は、Ｘ方向及びＹ方向の双方と直交している。図２〜図６についても、上記Ｘ方向、Ｙ方向、Ｚ方向を適宜示している。
【００１８】
パレット１０は、下面デッキボード１１と上面デッキボード１３との間に、Ｚ方向に延びて下面デッキボード１１と上面デッキボード１３とを結合する桁を有している。当該桁として、Ｘ方向におけるパレット１０の両端に位置する二つの端桁１４，１５と、Ｘ方向において端桁１４と端桁１５との間に位置する中間桁１６とが設けられている。端桁１４，１５及び中間桁１６は、パレット１０のＹ方向における全幅に設けられている。
【００１９】
また、端桁１４と中間桁１６との間、及び端桁１５と中間桁１６との間には、フォークリフトのフォークを挿入可能なフォーク挿入孔１７がそれぞれ形成されている。これら各フォーク挿入孔１７は、Ｙ方向にパレット１０をそれぞれ貫通している。二つのフォーク挿入孔１７の開口は、Ｘ方向に並んで設けられている。
【００２０】
パレット１０は、合成樹脂によって成形されている。パレット１０は、下面構成部２１と上面構成部２２とを溶着することで構成されている。下面構成部２１は、下面デッキボード１１と、端桁１４，１５のうちの下面デッキボード１１に接続されている部分と、中間桁１６のうちの下面デッキボード１１に接続されている部分とを含んでいる。上面構成部２２は、上面デッキボード１３と、端桁１４，１５のうちの上面デッキボード１３に接続されている部分と、中間桁１６のうちの上面デッキボード１３に接続されている部分とを含んでいる。すなわち、端桁１４，１５及び中間桁１６の各々は、下面構成部２１の構成部分と上面構成部２２の構成部分とに分割することができる。
【００２１】
図２を参照して、下面構成部２１の下面デッキボード１１について説明する。下面デッキボード１１には、フォーク挿入孔１７と連通する矩形状の開口部１２が形成されている。本実施形態では、四つの開口部１２が下面デッキボード１１に形成されている。四つの開口部１２のうち、二つの開口部１２は中間桁１６よりもＸ方向一方側に配置されており、残りの二つの開口部１２は中間桁１６よりもＸ方向他方側に配置されている。中間桁１６よりもＸ方向一方側に配置されている二つの開口部１２は、フォーク挿入孔１７の延設方向であるＹ方向に並んで配置されている。同様に、中間桁１６よりもＸ方向他方側に配置されている二つの開口部１２もまた、フォーク挿入孔１７の延設方向であるＹ方向に並んで配置されている。このような開口部１２は、例えば、パレット１０のフォーク挿入孔１７にハンドリフトを差し込んだ際に、ハンドリフトの車輪を下面デッキボード１１から地面側へ露出させるための孔として利用することができる。
【００２２】
図３を参照して、上面構成部２２の上面デッキボード１３について説明する。なお、図３は、上面デッキボード１３が構成する積載面が下方を向いた状態の上面構成部２２を示している。上面デッキボード１３において、積載面とは反対側の面には、上面デッキボード１３を補強する格子状リブ１８が設けられている。
【００２３】
図２及び図３を参照して、各端桁１４，１５について説明する。端桁１４は、パレット１０の側壁として機能する外壁３１と、フォーク挿入孔１７の周壁として機能する内壁３２と、を有している。外壁３１のうちのＹ方向における両端部以外の部分と、内壁３２のうちのＹ方向における両端部以外の部分と、の双方はＹ方向にそれぞれ延伸しており、内壁３２は、Ｘ方向において外壁３１よりも中間桁１６側に配置されている。そして、端桁１４は、外壁３１のＹ方向における一端と内壁３２のＹ方向における一端とを繋ぐ連結壁４１と、外壁３１のＹ方向における他端と内壁３２のＹ方向における他端とを繋ぐ連結壁４２と、をさらに有している。これら各連結壁４１，４２は、パレット１０の側壁を構成している。端桁１４における外壁３１と内壁３２との間には、Ｙ方向に沿って配置されている複数のリブ群３３Ａ，３３Ｂ，３３Ｃ，３３Ｄが設けられている。リブ群３３Ａとリブ群３３Ｂとは、Ｙ方向で隣接するようにそれぞれ配置されている。さらに、リブ群３３Ａ及びリブ群３３Ｂから所定の間隔を置いて、リブ群３３Ｃとリブ群３３Ｄとが、Ｙ方向で隣接するようにそれぞれ配置されている。
【００２４】
外壁３１には、内壁３２に向けて延伸している複数の第１補強リブ３７が接続されている。また、内壁３２には、外壁３１に向けて延伸している複数の第２補強リブ３８が接続されている。
【００２５】
端桁１５は、中間桁１６を中心として端桁１４と対称の構成を有している。すなわち、端桁１５にも、外壁３１と、内壁３２と、連結壁４１と、連結壁４２と、が設けられている。そして、端桁１５における外壁３１と内壁３２との間には、複数のリブ群３３Ａ〜Ｄと、複数の第１補強リブ３７と、複数の第２補強リブ３８と、が設けられている。
【００２６】
図２〜図４を参照して、リブ群３３Ａ〜Ｄについて説明する。なお、リブ群３３Ａ〜Ｄは同一構成となっている。そのため、ここでは、リブ群３３Ａの構成について具体的に説明し、他のリブ群３３Ｂ〜Ｄの構成の説明については簡略化する。
【００２７】
図４に示すように、リブ群３３Ａは、桁間リブ３４と一対の傾斜リブ３５，３６とによって構成されている。桁間リブ３４の一端である端部３４Ａは、外壁３１に接続されている。桁間リブ３４の他端である端部３４Ｂは、内壁３２に接続されている。桁間リブ３４は、外壁３１及び内壁３２に対して直交するように設けられている。すなわち、桁間リブ３４は、Ｘ方向に延伸している。
【００２８】
外壁３１の延伸方向（図４における左右方向であるＹ方向）において、桁間リブ３４を挟んだ両側に、一対の傾斜リブ３５，３６が配置されている。傾斜リブ３５，３６は、桁間リブ３４における端部３４Ａと端部３４Ｂとの間に位置している規定点Ｏと、外壁３１と、に接続されている。傾斜リブ３５，３６は、外壁３１の延伸方向及び桁間リブ３４の延伸方向（図４における上下方向であるＸ方向）の双方と交差する方向に延びている。すなわち、傾斜リブ３５は、規定点Ｏと、外壁３１において端部３４Ａよりも図中左側（Ｙ方向一方側）に位置する点Ｐと、に接続されている。傾斜リブ３６は、規定点Ｏと、外壁３１において端部３４Ａよりも図中右側（Ｙ方向他方側）に位置する点Ｑと、に接続されている。
【００２９】
リブ群３３Ａの図中右側には、リブ群３３Ａと同様に桁間リブ３４及び傾斜リブ３５，３６で構成されているリブ群３３Ｂが、リブ群３３Ａと隣り合うように配置されている。より詳しくは、リブ群３３Ｂでは、傾斜リブ３５，３６のうち、桁間リブ３４よりも図中左側（Ｙ方向一方側）に位置する傾斜リブ３５が、外壁３１における点Ｑに接続されている。すなわち、リブ群３３Ａとリブ群３３Ｂとが、外壁３１上の点Ｑを共有するように、互いに隣接している。なお、リブ群３３Ｂの傾斜リブ３６が外壁３１と接続されている点を、点Ｒとする。
【００３０】
リブ群３３Ｃ，３３Ｄは、リブ群３３Ａと同様に、桁間リブ３４と、一対の傾斜リブ３５，３６とをそれぞれ有している。また、図２及び図３に示すように、リブ群３３Ｃ，３３Ｄは、Ｙ方向で互いに隣接している。つまり、リブ群３３Ｃにおける両傾斜リブのうち一方の傾斜リブと外壁３１との接続点である交点に、リブ群３３Ｄにおける両傾斜リブのうち一方の傾斜リブが接続されている。
【００３１】
なお、図２に示すように、Ｙ方向におけるリブ群３３Ａ及びリブ群３３Ｂの位置は、Ｙ方向に並ぶ二つの開口部１２のうち一方の開口部１２と対応する位置である。また、Ｙ方向におけるリブ群３３Ｃ及びリブ群３３Ｄの位置は、Ｙ方向に並ぶ二つの開口部１２のうち他方の開口部１２と対応する位置である。
【００３２】
続いて、図４を参照して、第１補強リブ３７について説明する。端桁１４，１５に設けられている各第１補強リブ３７は、外壁３１における点Ｐ，Ｑ，Ｒに接続されている端部から内壁３２に向けてそれぞれ延伸している。すなわち、各第１補強リブ３７は、外壁３１と傾斜リブ３５，３６との交点に接続されている端部から内壁３２に向けてそれぞれ延設されている。なお、第１補強リブ３７は、外壁３１と直交するように延設されている。
【００３３】
また、第１補強リブ３７の延設方向における第１補強リブ３７の寸法は、桁間リブ３４の規定点Ｏと端部３４Ａとの間の寸法よりも小さい。すなわち、第１補強リブ３７における内壁３２側の端部と外壁３１との最短距離が、桁間リブ３４における規定点Ｏと外壁３１との最短距離よりも短い。
【００３４】
また、図４において、外壁３１と傾斜リブ３５と傾斜リブ３６とによって区画されている三角形のうち、外壁３１と傾斜リブ３５とがなす内角が角度θ１であるとする。当該三角形のうち、外壁３１と傾斜リブ３６とがなす内角が角度θ２であるとする。本実施形態では、傾斜リブ３５，３６を設ける態様の一例として、角度θ１及び角度θ２を共に４５度としている。この場合、傾斜リブ３５と傾斜リブ３６とがなす内角は９０度となる。つまり、当該三角形が垂直二等辺三角形となっている。
【００３５】
次に、第２補強リブ３８について説明する。第２補強リブ３８は、内壁３２に接続されている端部から外壁３１に向けて延設されている。第２補強リブ３８は、外壁３１の点Ｐ，Ｑ，Ｒに接続されている各第１補強リブ３７と、対向する位置に設けられている。また、第２補強リブ３８は、内壁３２と直交するように延設されている。
【００３６】
なお、第２補強リブ３８の両端部のうち、内壁３２に接続されていない方の端部は、Ｘ方向において、桁間リブ３４の規定点Ｏよりも内壁３２側に位置している。したがって、第２補強リブ３８は、第１補強リブ３７と繋がっていない。
【００３７】
ここで、端桁１４のうち下面デッキボード１１に接続されている部分において、図５に示すＺ方向における外壁３１の寸法を、「端桁１４の高さ」とする。桁間リブ３４のＺ方向における寸法は、端桁１４の高さと等しい。傾斜リブ３５，３６のＺ方向における寸法は、端桁１４の高さと等しい。同じく、第１補強リブ３７及び第２補強リブ３８のＺ方向における寸法は、端桁１４の高さと等しい。端桁１４のうち上面デッキボード１３に接続されている部分においても、端桁１４のうち下面デッキボード１１に接続されている部分と同様の構造を有しているため、パレット１０において、桁間リブ３４、傾斜リブ３５，３６、第１補強リブ３７及び第２補強リブ３８は、下面デッキボード１１と上面デッキボード１３とにそれぞれ連結されている。
【００３８】
次に本実施形態にかかるパレット１０の作用とともに、その効果について図４及び図５を参照して説明する。以下では端桁１４に関して説明するが、ここでの作用及び効果は、端桁１５に関しても同様に得られるものである。
【００３９】
端桁１４の外壁３１のうち、外壁３１と傾斜リブ３５，３６との交点である点Ｐ，Ｑ，Ｒに第１補強リブ３７の端部が接続されている。これによって、端桁１４の外壁３１にフォークリフトのフォークなどが押し当てられたとしても、その際に外壁３１に入力される荷重を傾斜リブ３５と第１補強リブ３７とに分散させることができる。同様に、上記荷重を、傾斜リブ３６と第１補強リブ３７とに分散させることができる。
【００４０】
さらに、上記荷重が入力される傾斜リブ３５，３６は、外壁３１と内壁３２との双方に接続されている桁間リブ３４に接続されている。そのため、傾斜リブ３５，３６に荷重が入力された場合、当該荷重が桁間リブ３４に伝わるとともに、桁間リブ３４に入力された荷重が端桁１４の内壁３２にも伝わるようになる。そのため、端桁１４の外壁３１が外部から受けた荷重を分散することができる。すなわち、パレット１０の側壁のうち、フォーク挿入孔１７が開口していない側壁、すなわち端桁１４における外壁３１の剛性を向上させることができる。
【００４１】
なお、桁間リブ３４の両側に設けられている一対の傾斜リブ３５，３６が、いずれも、桁間リブ３４における規定点Ｏに接続されている。このように桁間リブ３４における傾斜リブ３５との接続部分に傾斜リブ３６をも接続させることによって、傾斜リブ３５を介して桁間リブ３４に伝わる力と、傾斜リブ３６を介して桁間リブ３４に伝わる力と、が互いに打ち消し合うようになる。したがって、端桁１４の外壁３１の強度をより向上させることができる。
【００４２】
また、第１補強リブ３７の延設方向における第１補強リブ３７の寸法が、桁間リブ３４における規定点Ｏと端部３４Ａとの間の寸法よりも小さい。これによって、第１補強リブ３７を過剰に大きくすることなく、端桁１４の剛性を向上させることができる。端桁１４の外壁３１の剛性を向上させつつもパレット１０の重量増大を抑制することができる。
【００４３】
さらに、リブ群３３Ａにおける傾斜リブ３６と外壁３１との交点である点Ｑに、リブ群３３Ａと隣接して設けられているリブ群３３Ｂにおける傾斜リブ３５が連結されている。これによって、点Ｑに外部から入力された荷重は、第１補強リブ３７と、リブ群３３Ａの傾斜リブ３６と、リブ群３３Ｂの傾斜リブ３５とに分散して入力されることとなる。そのため、端桁１４の外壁３１の剛性をより向上させることができる。
【００４４】
また、端桁１４の内壁３２に連結する第２補強リブ３８が設けられている。これによって、内壁３２の剛性を向上させることができる。フォーク挿入孔１７に挿入されたフォークが内壁３２に当接したとしても、内壁３２の強度を確保することができる。
【００４５】
なお、上記実施形態は、これを適宜変更した以下の形態にて実施することもできる。
・互いに対向するように設けられている第１補強リブ３７と第２補強リブ３８とを連結部によって連結してもよい。この場合、端桁１４の外壁３１が外部から荷重を受けた際に、当該荷重が第１補強リブ３７、連結部及び第２補強リブ３８を介して内壁３２に伝わるようになり、外壁３１に入力された荷重が内壁３２まで伝わりやすくなる。その結果、外壁３１の剛性をより向上させることができる。また、フォーク挿入孔１７に挿入された物品が端桁１４の内壁３２に当接し、当該当接に起因する荷重を内壁３２が受けた際には、当該荷重が外壁３１まで伝わりやすくなる。その結果、内壁３２の剛性をより向上させることができる。
【００４６】
なお、第１補強リブ３７と第２補強リブ３８とを連結部によって連結する例としては、図６に示すように、第１補強リブ３７の内壁３２に近い側の端部と第２補強リブ３８の外壁３１に近い側の端部とを連結する連結部３９を、下面デッキボード１１に設ける構成を挙げることができる。この場合、連結部３９のＺ方向における寸法は、端桁１４の高さよりも小さくすることが好ましい。これによって、連結部３９を設けることに起因するパレット１０の重量の増大を抑制できる。
【００４７】
また、第１補強リブ３７の内壁３２に近い側の端部と第２補強リブ３８の外壁３１に近い側の端部とを連結する連結部を、上面デッキボード１３に設けるようにしてもよい。この場合、連結部のＺ方向における寸法を端桁１４の高さよりも小さくすることで、連結部を設けることに起因するパレット１０の重量の増大を抑制できる。
【００４８】
・第２補強リブ３８は、内壁３２から延設されていればよく、必ずしも第１補強リブ３７と対向するように設けなくてもよい。すなわち、Ｙ方向において第１補強リブ３７とは異なる位置に第２補強リブ３８を配置するようにしてもよい。また、第２補強リブ３８が内壁３２に接続されているのであれば、第２補強リブ３８は内壁３２と直交していなくてもよい。
【００４９】
・第２補強リブ３８を省略してもよい。なお、このように第２補強リブ３８を省略した場合にあっては、第１補強リブ３７を、外壁３１だけではなく内壁３２にも接続するような構成としてもよい。
【００５０】
・上記実施形態では、一方の端桁に対して四つのリブ群３３Ａ〜Ｄを設けているが、一方の端桁に設けるリブ群の数は、四以外の任意数（例えば三つや六つ）であってもよい。また、一方の端桁に二つ以上のリブ群が設けられている場合、Ｙ方向で互いに隣り合うリブ群同士は、隣接していなくてもよい。
【００５１】
・パレット１０において、リブ群３３Ａ〜Ｄと第１補強リブ３７とは、端桁１４及び端桁１５のうち、強度が必要とされる箇所に設けられている。各リブが配設される位置は、適宜変更することができる。また、外壁３１の延伸方向における全幅に亘ってリブ群を配置するようにしてもよい。
【００５２】
・傾斜リブ３５，３６と外壁３１とがなす角度θ１及び角度θ２が、上記実施形態と異なるように、傾斜リブ３５，３６を設けることもできる。また、一対の傾斜リブ３５，３６が桁間リブ３４の規定点Ｏに接続されているのであれば、両傾斜リブ３５，３６を、角度θ１と角度θ２とが互いに異なるように構成してもよい。
【００５３】
・桁間リブ３４は、端部３４Ａが外壁３１に接続されており端部３４Ｂが内壁３２に接続されているのであれば、外壁３１及び内壁３２に対して直交していなくてもよい。
・第１補強リブ３７は、外壁３１と傾斜リブ３５，３６との交点に接続されている端部から内壁３２に向けて延設されているのであれば、外壁３１と直交していなくてもよい。
【００５４】
・下面構成部２１の下面デッキボード１１が、上面デッキボード１３と同様の構造であってもよい。すなわち、下面デッキボード１１に開口部１２が設けられていなくてもよい。この場合のパレットは、所謂両面使用パレットであり、下面デッキボード１１を鉛直方向上側に向けて積載面とすることもできる。こうした両面使用パレットについても、桁間リブ３４と一対の傾斜リブ３５，３６と第１補強リブ３７とを端桁１４，１５に設けることで、端桁１４，１５の剛性を高くすることができる。
【符号の説明】
【００５５】
１０…パレット、１１…下面デッキボード、１２…開口部、１３…上面デッキボード、１４…端桁、１５…端桁、１６…中間桁、１７…フォーク挿入孔、１８…格子状リブ、２１…下面構成部、２２…上面構成部、３１…外壁、３２…内壁、３３Ａ…リブ群、３３Ｂ…リブ群、３３Ｃ…リブ群、３３Ｄ…リブ群、３４…桁間リブ、３４Ａ…端部、３４Ｂ…端部、３５…傾斜リブ、３６…傾斜リブ、３７…第１補強リブ、３８…第２補強リブ、３９…連結部、４１…連結壁、４２…連結壁。
【図１】
2018052598.tif 000003
【図２】
2018052598.tif 000004
【図３】
2018052598.tif 000005
【図４】
2018052598.tif 000006
【図５】
2018052598.tif 000007
【図６】
2018052598.tif 000008